(57)【要約】【課題】撮影時のストレスを防ぎつつも、失敗写真を低減することを可能にした撮像装置を提供すること。【解決手段】ブラケット機能と、撮像条件、または、撮影された画像に基づいて、ブラケット機能をＯＮにするか否かの判定を行うブラケット機能判定手段と、被写体の状況および撮像装置の設定値に応じて、複数のブラケットモードについて、それぞれ評価値を算出する手段と、前記評価値に応じて、複数のブラケットモードから排他的に一つ選択する手段と、を有することを特徴とする。【選択図】図１
2016158180.tif 000002
【特許請求の範囲】
【請求項１】
ブラケット機能と、
撮像条件、または、撮影された画像に基づいて、ブラケット機能をＯＮにするか否かの判定を行うブラケット機能判定手段と、
被写体の状況および撮像装置の設定値に応じて、複数のブラケットモードについて、それぞれ評価値を算出する手段と、
前記評価値に応じて、複数のブラケットモードから排他的に一つ選択する手段と、
を有することを特徴とする撮像装置。
【請求項２】
撮像装置の設定項目毎に、設定値に応じた重みづけを行うことを特徴とする請求項１に記載の撮像装置。
【請求項３】
撮像装置で設定できる設定項目毎に、ブラケット撮影時に変更するパラメータとの関連性を表す重みづけを行うことを特徴とする請求項１に記載の撮像装置。
【請求項４】
被写体状況ごとに、ブラケット撮影時に変更するパラメータとの関連性を表す重みづけを行うことを特徴とする請求項１に記載の撮像装置。
【請求項５】
重みづけは、撮像装置の設定値が初期設定と比べて変更されていた場合、前記変更されている設定項目の重みづけを変更することを特徴とする請求項２に記載の撮像装置。
【請求項６】
評価値の算出は、請求項２乃至請求項５の何れか一項に記載の重みづけに基づいて算出することを特徴とする請求項１に記載の撮像装置。
【発明の詳細な説明】
【技術分野】
【０００１】
本発明は、撮像装置に関し、特に撮影環境等の要因によって撮影が失敗することを防ぐための撮像装置に関する。
【背景技術】
【０００２】
周囲の撮影環境など、様々な要因によって撮影時の設定値を決めることが難しい状況になることがあるが、こうした状況において撮影の失敗防止を求められている。こうした状況の一例として、周辺が暗いような状況下では、手ぶれや黒つぶれ、合焦精度など様々な理由で撮影に失敗する要因があり、適正な設定値で撮影することが困難である。
【０００３】
この様な問題を解決するための一つの方法として、撮像装置の設定値を変えながら複数枚撮影する方法（以下、ブラケット）がある。適正な設定値で撮影することが困難な場合に、設定値を変えながら複数枚撮影することで、複数枚撮影した中に適正な設定値に近い条件撮影できたものが含まれる可能性があり、撮影時の失敗を防ぐことができる。
【０００４】
特許文献１では、上下左右キーに特定の撮影条件を対応付けておき、シャッターキーが全押しされた時点で複数回変更するブラケティング撮影を行うという技術が開示されている。特許文献２では露光量、合焦位置、ストロボ光量などの撮像条件に基づいて、連写を実行するか否かを判定し、連写時の各撮影こまの撮像条件を設定するという技術が開示されている。
【先行技術文献】
【特許文献】
【０００５】
【特許文献１】特開２００９−１１７９３３号公報
【特許文献２】特開２００１−００８０８７号公報
【発明の概要】
【発明が解決しようとする課題】
【０００６】
しかしながら、上述の特許文献１に開示された従来技術では撮影者自身が変更するパラメータを選択して撮影するが、複数の失敗要因があったときにおいては、撮影者の選択が必ずしも適正なものでない可能性があり、常に望んだ出力画像が得られるとは限らない。
【０００７】
また、上述の特許文献２に開示された従来技術は、複数の失敗要因がある状況に対しては十分に解決できない。たとえば失敗要因が２つある状況において、それぞれの要因についてブラケット撮影を３枚ずつ撮影するようにした場合は、合計で３×３＝９枚撮影することになる。このとき、撮影枚数が多くなって撮影者にストレスを与えてしまうという問題があった。
【０００８】
そこで、本発明の目的は、撮影時に複数の要因で失敗する可能性のあるときに、撮影時のストレスを防ぎつつも、失敗写真を低減することを可能にした撮像装置を提供することにある。
【課題を解決するための手段】
【０００９】
上記の目的を達成するために、本発明の撮像装置は、
ブラケット機能と、
撮像条件、または、撮影された画像に基づいて、ブラケット機能をＯＮにするか否かの判定を行うブラケット機能判定手段と、
被写体の状況および撮像装置の設定値に応じて、複数のブラケットモードについて、それぞれ評価値を算出する手段と、
前記評価値に応じて、複数のブラケットモードから排他的に一つ選択する手段と
を有することを特徴とする。
【発明の効果】
【００１０】
本発明によれば、複数の要因で撮影が失敗しそうな時、撮影者に与えるストレスを最小限に抑え、撮影者が重要視している要因について失敗を防ぐことができる撮像装置の提供を実現できる。
【図面の簡単な説明】
【００１１】
【図１】本発明を実施するための好ましい実施の形態を説明するための構成図である。
【図２】本発明の動作を説明するフローチャートである。
【図３】シーン判定部で判定するシーンについて説明する図である。
【図４】撮像装置の設定項目と設定値に応じた重みづけを説明する図である。
【図５】ブラケット撮影時に変更するパラメータと各設定項目の関連度を説明する図である。
【図６】ブラケット撮影時に変更するパラメータと想定される失敗シーンとの関連度を説明する図である。
【図７】実施例１における評価値について説明する図である。
【図８】実施例１における評価値について説明する図である。
【図９】撮像装置の初期設定を示す説明図である。
【図１０】実施例２における評価値について説明する図である。
【発明を実施するための形態】
【００１２】
以下に、本発明の好ましい実施の形態を、添付の図面に基づいて詳細に説明する。図１は本発明の実施形態にかかわる撮像装置を説明する図である。
【実施例１】
【００１３】
以下、図面を参照して、本発明の第１の実施例による、撮像装置について説明する。
図１は本発明を実現するための撮像装置の構成を示したものである。
【００１４】
まず、１０１で示す撮像部で被写体を撮影し、撮影した映像データはデジタルデータに変換され、１０２の信号処理部に入力されて各種画像処理が行われる。
【００１５】
一時記憶メモリ１０３は画像処理等で使用されるデータを一時的に格納するための作業領域に使用する。
【００１６】
また、撮像装置には測光センサー１０４が備わっており、適正露出を得るための測光を行う。さらに、焦点を合わせるためのＡＦセンサー１０５が備わっている。
【００１７】
手ぶれ検出部１０６は撮影時に手ぶれをしているか否かの検出を行い、動き検出部１０７は、被写体の動き量を検出するためのものであり、顔検出部（１０８）では人物の顔の検出を行う。
【００１８】
さらに、撮像装置にはシーン判定部１０９が備わっており、１０４〜１０８で得られ得た情報および撮影した画像データが格納されている一時記憶メモリ１０３のデータなどを利用して、シーンを判定する。
【００１９】
撮影した画像は、表示装置１１０に表示を行うともに、メモリカードまたは無線ＬＡＮを介して接続したサーバ等の外部記憶メモリ１１１に保存される。
【００２０】
１１２はＣＰＵであり、各種プログラムが実行される。ＣＰＵ１１２で実行されるプログラムとしては、上記で述べた処理についての各種制御を行うプログラムやブラケットにかかわる各種制御を行うプログラムなどがある。
【００２１】
次に、本発明の撮像装置の動作について図２のフローチャートを用いて説明する。
【００２２】
撮像装置のシャッターボタンが半押しか否かを判定し（２０１）、半押しされていたら、撮像装置の設定を確認し、オートブラケットモードが許可されているか否かを確認する（２０２）。オートブラケットモードが許可されていなければ、通常撮影モードに移行し、シャッターボタンが全押しされたら一枚撮影して（２２１〜２２３）、撮影された画像を保存し、終了する（２１２）。
【００２３】
２０２でオートブラケットモードが許可されていた場合は、撮影時のシーン判定（２０３）を行う。ここでは、光量や被写体の動き速度、逆光であるか、被写体に人物が含まれるか否かといった情報を元に、あらかじめ想定していた失敗シーンのうち、いずれかに当てはまるか否かを判定する。たとえば、図３で示すものは失敗が想定されるシーンの一例である。
【００２４】
さらに、シャッタースピードや絞り等の撮像装置の設定値を取得し（２０４）、前記２０３で得られたシーン判定情報とともに、撮影時にどのような条件で撮影が失敗する可能性があるか推定する（２０５）。たとえば、暗いシーンの時はシャッター速度が遅くなることが多いため、手ぶれによる失敗の可能性があり、さらに、ＡＦが合いにくい等の失敗の可能性があると判定する。
【００２５】
前記２０５での情報を受け、失敗する可能性があるか否かを判断し（２０６）、失敗する可能性がないと判定された場合は、通常撮影モードに移行する。
【００２６】
前記２０６で撮影に失敗する可能性があると判定された場合は、２０４で取得したカメラの設定値および、２０３で判定した撮影シーンに応じて評価値を算出し（２０７）、評価値に応じたブラケットモードを選択する（２０８）。
【００２７】
シャッターボタンが全押しされていれば（２０９、２１０）、２０８で選択されたブラケットモードであらかじめ設定されている枚数分だけ撮影を行い（２１１）、撮影した画像を保存して終了する（２１２）。
【００２８】
次に、２０７に記した評価値の算出方法について説明する。図４は複数の設定項目について、それぞれ設定値に応じた重みづけ行う方法について説明する図である。
【００２９】
図４は使用者が設定できる設定項目のうち、画質を決定する項目としての例をあげたものであるが、実際には図４にあげた以外にも画質に影響する設定項目は様々存在し、これに限ったものではない。
【００３０】
図４にあげた各設定項目は、複数の設定値を設定できるようになっており、設定値ごとに重みづけを与えるようにする。例えば、記録画質の設定項目は、評価値を決定する重みづけとして、記録画質が低解像度側設定値（４０１）の重みづけを小さくして、記録画質が高解像度側の設定値（４０２）の重みづけを大きくしている。
【００３１】
また、他の設定項目についても同様に、設定値に応じて重みづけを行っていく。本実施例では設定値に応じた重みづけを図４に示した数値にしているが、これに限ったものではなく、他の様々な事情を考慮して決定してよい。
【００３２】
図５は撮像装置の設定項目と、ブラケット時に変更するパラメータとから決まる重みづけを説明する図である。
【００３３】
図５の例では、撮像装置の設定項目ごとに設定値によって画質に与える影響を鑑みて、ブラケットモード時に変更するパラメータとの相関性を、評価値を算出する際の重みとして設定した例である。
【００３４】
たとえば、記録画質を高解像度側に設定した場合、ピントがずれた状態で撮影してしまうと、保存される画像は解像度が落ちてしまうため、本実施例では記録画質と合焦精度の関連性を高いと考えて、評価値を算出する際の重みづけを大きくしている。
【００３５】
一方で、絞りやＩＳＯについては前記の２つの項目ほどは関連性が低いとして、本実施例では重みづけの値を小さくしている。
【００３６】
同様に他の項目についても、撮像装置の設定項目とブラケットモード時に変更するパラメータとの相関性を考慮して、それぞれ重みづけを設定した例が図５である。
【００３７】
本実施例では撮像装置の設定項目とブラケットモード時に変更するパラメータとの相関性を表す重みづけについて、図５に示した数値を用いているが、これに限ったものではなく、他の様々な事情を考慮して決定してよい。
【００３８】
図６は失敗が想定されるシーンと、その時に出力画像に影響するパラメータの関係を、評価値を算出する際の重みとして設定した例である。
【００３９】
たとえば、周囲が暗い状況下での撮影では、ＡＦは効きづらくなりやすい。補助光を照射するなどして改善できるが、被写体が遠方にあるなど対応しきれない場合もあり、合焦精度に影響を与える可能性が高い。このような事情を考慮して、図６の例では評価値を算出するための重みづけを大きくしている。
【００４０】
同様に、暗い状況下ではシャッター速度が遅くなるなどして手ぶれや被写体ぶれの影響が出やすいため、暗いシーンでとシャッター速度の関連性は高いと判断して、図６の例では重みづけを大きく設定している。
【００４１】
一方で、絞りやＩＳＯといった設定項目は、前述の２項目に比べて関連性が薄いと考えて、図６の例では重みづけを低くしている。
【００４２】
同様にして他のシーンについても変更するパラメータとの影響度を考慮して、重みづけを設定したものを、図６に示している。
【００４３】
図６は図４および図５と同様に本実施例を説明するための一例であり、これに限ったものではなく、他の様々な事情を考慮して値を決定してよい。
【００４４】
以上のようにして重みづけがなされていた場合、カメラの設定値が図７（ａ）のようになっていた場合の評価値の算出について説明を行う。
【００４５】
評価値は、合焦精度・シャッター速度・絞り・ＩＳＯ等、どの設定項目を変えることが本実施例のシーンで使用者の意図に合致したものであるかを表すものである。
【００４６】
カメラの設定を変更している場合は、その設定値は使用者の意図を反映しているものであるから、図４〜６で説明した重み付けから合焦精度・シャッター速度・絞り・ＩＳＯなどの中から、どの設定項目を変えることが使用者の意図に最も即しているかを推測することができる。
【００４７】
たとえば、暗いシーンであると判定された時の合焦精度の評価値を求めるにあたり、まず、記録画質の設定値と合焦精度と暗いシーンの関連性から、例えば以下のように求める。
（記録画質の設定値に対する重み（図４））×（合焦精度と記録画質との関連度（図５））×（暗いシーンと合焦精度の関連度（図６））
ノイズ低減等、他の設定項目についても上記の計算式と同様に行い、合焦精度の評価値を、たとえば、図７（ｂ）に示すように算出する。
【００４８】
同様に、シャッター速度などの他のパラメータについても同様に評価値を算出した例を、図７（ｂ）に示す。
【００４９】
図７（ｂ）に示すように、この場合は合焦精度の評価値が最も高いため、撮像装置の設定が図７（ａ）のようになっており、暗いシーンと判定された場合は、ＡＦブラケットを行うようにする。
【００５０】
上記で示した評価値の求め方は本実施例を説明するための一例であり、これに限ったものではなく、その要旨の範囲内で種々の変形及び変更が可能である。
【００５１】
一方で、図７を用いて説明した場合と同じシーンにおいて、カメラの設定値が図８（ａ）のようになっていた場合、図７（ｂ）と同様にして評価値を算出したものを図８（ｂ）に示す。この場合は、シャッター速度の評価値が最も高いため、シャッター速度ブラケットを行うようにする。
【００５２】
上記で説明したように、同じシーンであっても、撮像装置の設定値が異なっていれば、異なるブラケットモードが選択される。撮像装置の設定値は使用者の意図を反映しているものであるから、使用者が重要と考えている項目について、失敗画像を低減することが可能である。
【００５３】
また、複数の失敗要因があるような状況下においても、ブラケットモードを排他的に選択して失敗画像を低減するため、撮影者に与えるストレスを最小限に抑えることが可能である。
【実施例２】
【００５４】
以下、本発明の第２の実施例による、撮像装置について説明する。基本的な構成は実施例１と同じであり、動作は実施例１と同じく図２で示すとおりである。
【００５５】
撮像装置の設定値は使用者の意図を反映しているものであるが、使用者自身の好みに合うように全ての設定値を変更しているとは限らず、撮像装置の初期設定のまま使用している場合も多い。
【００５６】
したがって、初期設定から変更されている設定項目については、初期設定のまま使用している項目に比べて、使用者の意図がより強く反映されたものであると考えることができる。
【００５７】
実施例１では設定値に応じて重みづけを一意に決定するという例であるが、本実施例２では、上記の理由から、初期設定から変更したパラメータについては重みづけをさらに変えることで、使用者により合ったブラケットのモードを選択するというものである。
【００５８】
たとえば、初期設定が図９で示す通りの設定値であったとき、使用者がシャッター速度を重視したいという意図から、図１０（ａ）に示すようにＩＳＯオートの設定だけを変更していたとする。
【００５９】
実施例１の方法で算出した評価値は図１０（ｂ）のようになり、焦点位置を複数変えて撮影するＡＦブラケットが選択される。
【００６０】
本実施例２で示す方法は、初期設定から変更した設定項目を重要視するために、たとえば、初期状態から変更した設定項目については重みづけを２倍するようにする。
【００６１】
このようにしたとき、各評価値は図１０（ｃ）のように算出されるため、評価値の最も大きい、シャッター速度を複数変えて撮影するブラケットモードが選択される。
【００６２】
上記の説明のとおり、初期設定と現在の設定値をさらに比べることで、使用者が重要と考えている項目をより反映して、失敗画像を低減することが可能である。
【００６３】
以上、本発明の好ましい実施形態について説明したが、本発明はこれらの実施形態に限定されず、その要旨の範囲内で種々の変形及び変更が可能である。
【符号の説明】
【００６４】
１０１  撮像部、１０２  信号処理部、１０３  一時記憶メモリ、
１０４  測光センサー、１０５  ＡＦセンサー、１０６  手ぶれ検出部、
１０７  動き検出部、１０８  顔検出部、１０９  シーン判定部、１１０  表示装置、
１１１  外部記憶メモリ、１１２  ＣＰＵ
【図１】
2016158180.tif 000003
【図２】
2016158180.tif 000004
【図３】
2016158180.tif 000005
【図４】
2016158180.tif 000006
【図５】
2016158180.tif 000007
【図６】
2016158180.tif 000008
【図７】
2016158180.tif 000009
【図８】
2016158180.tif 000010
【図９】
2016158180.tif 000011
【図１０】
2016158180.tif 000012